(57)【特許請求の範囲】
【請求項１】
絶縁トランスの１次側巻線の両端に接続され相補的にオンオフ駆動されるスイッチを介して伝送対象信号が入力されることによりパルス波形に変調され、前記絶縁トランスの２次側巻線の両端に接続され１次側巻線のスイッチとは逆の動作で相補的にオンオフ駆動されるスイッチを介して前記パルス波形を復調再生し前記伝送対象信号を取り出すように構成された信号絶縁入力回路を用いて、電圧入力および電流入力を有効電力演算回路に取り込むように構成された電力測定装置において、
前記電圧系統と電流系統の信号絶縁入力回路におけるスイッチを駆動する駆動信号の位相差を９０度にし、前記有効電力の演算値に電圧／電流の復調時におけるノイズ成分を含まないようにしたことを特徴とする電力測定装置。
【発明の詳細な説明】
【０００１】
【発明の属する技術分野】
本発明は電力測定装置に関し、詳しくは電圧／電流の入力にあたってトランス絶縁入力方式を用いた場合における復調ノイズの影響の低減に関するものである。
【０００２】
【従来の技術】
図３は、トランス絶縁入力方式を用いた電力測定装置の一例を示すブロック図である。図３において、電圧入力は電圧絶縁入力回路１を介して演算回路４にフローティング入力され、電流入力は電流絶縁入力回路２を介して演算回路４にフローティング入力されている。
変調／復調制御回路３は、電圧絶縁入力回路１および電流絶縁入力回路２が電圧および電流入力を所定の周波数の信号によりパルス波形に変調して絶縁伝送を行い、絶縁伝送されたパルス波形を復調して電圧、電流入力を再生するように制御する。
表示器５は演算回路４における有効電力の演算結果を表示する。
【０００３】
図４は、図３における電圧絶縁入力回路１および電流絶縁入力回路２の詳細図である。図４において、絶縁トランス６の１次側巻線（変調側）の両端には相補的にオンオフ駆動されるスイッチSW１とＳＷ２が接続され、２次側巻線（復調側）の両端にも相補的にオンオフ駆動されるスイッチSW３とＳＷ４が接続されている。これらスイッチSW１〜ＳＷ４は、変調／復調制御回路３によりオンオフ駆動される。ローパスフィルタ７は、絶縁トランス６で復調した入力信号のノイズ成分をカットする。
【０００４】
図４の動作を図５を用いて説明する。
変調／復調制御回路３はある周波数ｆｍでSW１とＳＷ２のオンオフ切り替えを行い、電圧入力および電流入力を図５（Ａ），（Ｂ）に示すようなパルス波形に変調する。
【０００５】
同時に、変調／復調制御回路３は、
(ｉ) SW１：ONの時SW３：ON（ただしSW４：OFF)
(ｉｉ) SW２：ONの時SW４：ON（ただしSW３：OFF)
となるようにスイッチSW３とＳＷ４のオンオフ切り替えも行い、変調された信号を、図５（Ｃ），（Ｄ）に示すような元の入力と同じ波形に復調する。
【０００６】
この時、図５（Ｃ），（Ｄ）に示すように復調時のノイズが発生する。この復調ノイズは、ローパスフィルタ７でカットしているが、カットしきれない成分が残り、図６（Ａ），（Ｂ）に示すように変調周波数とその整数倍ｆｍ，２ｆｍ，・・・においてノイズ成分として現われる。
【０００７】
これらノイズ成分の影響について、詳しく説明する。
入力信号の周波数をｆｉ、電圧の振幅をＥｉ、電流の振幅をＩｉ、時間をｔとすると、電圧入力は、
【０００８】
【数１】
0004211231.tif 000002
【０００９】
の繰り返し波として表わすことができ、電流入力は、
【００１０】
【数２】
0004211231.tif 000003
【００１１】
の繰り返し波として表わすことができる。ここで、ｅｎ，ｉｎはそれぞれ電圧および電流のノイズ成分である。
【００１２】
変調／復調制御回路３がスイッチSW１〜ＳＷ４をオンオフ駆動するスイッチング周波数をｆｍとしたとき、復調側の電圧および電流は、図５で示される復調ノイズ成分まで含めると、電圧については、
【００１３】
【数３】
0004211231.tif 000004
【００１４】
と表わすことができ、電流については、
【００１５】
【数４】
0004211231.tif 000005
【００１６】
と表わすことができる。
また、Ｔ＝１／入力周波数、またはＴ＝（１／２）・（１／入力周波数）としたときの有効電力Ｐは、
【００１７】
【数５】
0004211231.tif 000006
【００１８】
で求めることができる。この数５式に数３式および数４式を代入して計算すると、
【００１９】
【数６】
0004211231.tif 000007
【００２０】
となる。ただし、φｉはその周波数成分における電圧と電流の位相差である。
図５に示した従来例における電圧および電流を変調／復調するスイッチングの位相は同じであることから、φｍ１＝φｍ２＝・・・＝０となる。また、ｃｏｓφｍ１＝ｃｏｓφｍ２＝・・・＝１である。これらから、数６式は次のようになる。
【００２１】
【数７】
0004211231.tif 000008
【００２２】
なお、直流成分を含むアナログ電気信号を接地電位に対して絶縁した状態で伝送する方法として、アナログ電気信号をＡ／Ｄ変換器でデジタルデータに変換し、このデジタルデータをフォトカプラを介してパラレルまたはシリアルで絶縁伝送することも行われている。
【００２３】
このようなパラレル伝送にあたって高精度伝送を行うために分解能を上げようとすると、必要ビット数だけフォトカプラを用いなければならない。
この結果、部品点数の増加により小型化が困難になり、消費電力が増大することになる。また、対接地容量も増大するので高周波特性が劣化し、高周波信号測定に支障を来すことになる。
【００２４】
シリアル伝送にすればフォトカプラを大幅に減らせるが、例えばサンプリングクロック３００ｋＨｚで分解能１６ビットのデジタルデータを伝送しようとすると、その伝送速度は４．８Ｍｂｐｓになる。ところが、現状では、この伝送速度で安定に伝送できるフォトカプラは一般には入手困難である。
【００２５】
そこで、これらフォトカプラに起因する不都合を改善する方式として、図３および図４に示すように絶縁トランスを用いてアナログ電気信号そのものを伝送し、絶縁トランスの２次側の演算回路４にＡ／Ｄ変換器を設けてデジタルデータに変換することが行われている。これにより、フォトカプラに比べてより高い耐電圧特性も得られる。
【００２６】
【発明が解決しようとする課題】
しかし、図５に示す従来のスイッチング駆動方式では、先に説明した数７式から明らかなように、電圧／電流の復調時ノイズ成分は、電圧／電流の測定誤差要因になるだけではなく、有効電力演算値の誤差要因にもなってしまうという問題がある。
【００２７】
本発明は、このような問題点を解決するものであり、その目的は、電圧／電流の復調時におけるノイズ成分の影響を低減でき、高精度の電力測定が行える電力測定装置を提供することにある。
【００２８】
【課題を解決するための手段】
このような目的を達成する請求項１記載の発明は、
絶縁トランスの１次側巻線の両端に接続され相補的にオンオフ駆動されるスイッチを介して伝送対象信号が入力されることによりパルス波形に変調され、前記絶縁トランスの２次側巻線の両端に接続され１次側巻線のスイッチとは逆の動作で相補的にオンオフ駆動されるスイッチを介して前記パルス波形を復調再生し前記伝送対象信号を取り出すように構成された信号絶縁入力回路を用いて、電圧入力および電流入力を有効電力演算回路に取り込むように構成された電力測定装置において、
前記電圧系統と電流系統の信号絶縁入力回路におけるスイッチを駆動する駆動信号の位相差を９０度にし、前記有効電力の演算値に電圧／電流の復調時におけるノイズ成分を含まないようにしたことを特徴とする。
【００２９】
これにより、電力測定における電圧／電流の復調時におけるノイズ成分の影響を低減でき、高精度の測定が行える。
【００３０】
【発明の実施の形態】
以下、本発明の実施の形態を説明する。
図１は本発明の動作説明図であり、図５と共通する部分には同一の符号を付けている。図１と図５の相違点は、電圧系統と電流系統のスイッチ駆動信号の位相差の有無である。すなわち、図１では両者の位相差を９０度ずらしているが、図５では０度になっている。なお、周波数は変えていない。
【００３１】
図２は、このような位相差が９０度の２系統の駆動信号Ａ，Ｂを生成する回路の具体例図である。図２の回路は、２個のＴフリップフロップと１つのＮＯＴ回路とで構成されている。
【００３２】
図１のような位相関係で電圧系統と電流系統のスイッチを駆動することにより、前述の数６式におけるφｍ１＝φｍ２＝・・・＝９０となってｃｏｓφｍ１＝ｃｏｓφｍ２＝・・・＝０になる。これにより、数６式は次のようになる。
【００３３】
【数８】
0004211231.tif 000009
【００３４】
すなわち、数６式の右辺第４項以降は０となって、入力された電圧成分と電流成分だけが残ることになる。これは電圧／電流入力が一般の任意の繰返し波に対しても同様の結果となる。
【００３５】
つまり、図１のようなスイッチ駆動方法によれば、有効電力の演算値は変調／復調時に発生するノイズ成分を含まないことになり、従来の駆動方法に比べてより精度の高い有効電力演算が実現できるようになる。
【００３６】
【発明の効果】
以上説明したように、本発明によれば、電圧／電流の復調時におけるノイズ成分の影響を低減でき、高精度の電力測定が行える電力測定装置を実現できる。
【図面の簡単な説明】
【図１】電力測定時における動作説明図である。
【図２】９０度の位相差を有する駆動信号を生成する回路の具体例図とタイミングチャートである。
【図３】トランス絶縁入力方式を用いた電力測定装置の一例を示すブロック図である。
【図４】図３における電圧絶縁入力回路１および電流絶縁入力回路２の詳細図である。
【図５】図４の動作説明図である。
【図６】復調側におけるノイズ成分の説明図である。
【符号の説明】
１    電圧絶縁入力回路
２    電流絶縁入力回路
３    変調／復調制御回路
４    演算回路
５    表示器
６    絶縁トランス
７    ローパスフィルタ
【図１】
0004211231.tif 000010
【図２】
0004211231.tif 000011
【図３】
0004211231.tif 000012
【図４】
0004211231.tif 000013
【図５】
0004211231.tif 000014
【図６】
0004211231.tif 000015